(57)【要約】【課題】無線回線から切断された端末装置を自動で再接続することを課題とする。【解決手段】管理コンピュータは、アクセスポイントを介して第１の無線回線に接続される各タブレット端末の接続状況を、アクセスポイントから取得する。管理コンピュータは、接続状況を参照して、アクセスポイントとの通信が切断されたタブレット端末である切断装置を検出する。管理コンピュータは、第２の無線回線を用いて、アクセスポイントと接続して第１の無線回線へ再接続する指示を、切断装置に通知する。【選択図】図２
2018056964.tif 000002
【特許請求の範囲】
【請求項１】
アクセスポイントを介して第１の無線回線に接続される各端末装置の接続状況を、前記アクセスポイントから取得する取得部と、
前記接続状況を参照して、前記アクセスポイントとの通信が切断された端末装置である切断装置を検出する検出部と、
第２の無線回線を用いて、前記アクセスポイントと接続して前記第１の無線回線へ再接続する指示を、前記切断装置に通知する指示通知部と
を有することを特徴とする監視装置。
【請求項２】
前記各端末装置に割当てられた、前記第２の無線回線で使用されるビーコンの送信周波数のチャネルの組み合わせであるビーコンパターンを前記各端末装置に配信する配信部をさらに有し、
前記指示通知部は、前記切断装置に対応するビーコンパターンにしたがって、前記再接続する指示を含むビーコンをブロードキャストで送信して、前記各端末装置のうちの前記切断装置に前記指示を通知することを特徴とする請求項１に記載の監視装置。
【請求項３】
前記検出部は、前記切断装置と前記アクセスポイントとの通信が切断された切断時刻を抽出し、
前記指示通知部は、前記切断装置に対応するビーコンパターンにしたがって、前記切断時刻を含むビーコンをブロードキャストで送信して、前記切断時刻を保持する前記切断装置に、前記第１の無線回線に再接続する処理を実行させることを特徴とする請求項２に記載の監視装置。
【請求項４】
前記各端末装置が前記第２の無線回線で使用するアドレス情報を記憶する記憶部をさらに有し、
前記指示通知部は、前記切断装置に対応する前記アドレス情報を用いて、前記切断装置と前記第２の無線回線で接続を確立し、前記切断装置を再起動して、前記切断装置を前記第１の無線回線に再接続することを特徴とする請求項１に記載の監視装置。
【請求項５】
コンピュータが、
アクセスポイントを介して第１の無線回線に接続される各端末装置の接続状況を、前記アクセスポイントから取得し、
前記接続状況を参照して、前記アクセスポイントとの通信が切断された端末装置である切断装置を検出し、
第２の無線回線を用いて、前記アクセスポイントと接続して前記第１の無線回線へ再接続する指示を、前記切断装置に通知する
処理を実行することを特徴とする再接続方法。
【請求項６】
コンピュータに、
アクセスポイントを介して第１の無線回線に接続される各端末装置の接続状況を、前記アクセスポイントから取得し、
前記接続状況を参照して、前記アクセスポイントとの通信が切断された端末装置である切断装置を検出し、
第２の無線回線を用いて、前記アクセスポイントと接続して前記第１の無線回線へ再接続する指示を、前記切断装置に通知する
処理を実行させることを特徴とする再接続プログラム。
【発明の詳細な説明】
【技術分野】
【０００１】
本発明は、監視装置、再接続方法および再接続プログラムに関する。
【背景技術】
【０００２】
政府方針により教育のＩＣＴ（Information  and  Communication  Technology）化が推進され全国の小中学校に対して２０１７年までに児童生徒３．６人に１台、２０２０年までに１人１台のタブレットコンピュータ（以降、タブレットと記載する場合がある）を配備し、無線ＬＡＮ（Local  Area  Network）整備の１００％等の計画がされている。
【０００３】
このように、各学校において徐々にＩＣＴ化が進んでいるが、現在でも、電子黒板、無線ＬＡＮアクセスポイント（以降、ＡＰと記載する場合がある）、先生用タブレット、生徒用タブレットを各教室に配備し、デジタル教科書で授業が行われている学校等も存在する。近年では、タブレットなどの端末装置が無線ＬＡＮで他の端末装置と接続中に、その無線ＬＡＮの切断を検出すると、利用者に有線ＬＡＮでの接続の手続きを行わせる技術が知られている。
【先行技術文献】
【特許文献】
【０００４】
【特許文献１】特開２００５−１７５８１４号公報
【発明の概要】
【発明が解決しようとする課題】
【０００５】
しかしながら、小学生などは一般的にＩＴ（Information  Technology）リテラシーが高くないことから、無線回線から切断された端末装置を有線回線や無線回線に再接続させることが難しい。このため、先生が手動で復旧させることになるので、端末装置の切断が発生するたびに、先生がその端末装置の復旧をするため授業が停止し、授業の進行が阻害される。また、先生のＩＴリテラシーが低い場合は、授業の停止時間はさらに長くなる。
【０００６】
なお、タブレット端末に、ＡＰとの通信を常時監視する機能、切断検出時にタブレットのＯＳ（Operating  System）の再起動およびＡＰ再接続を実行する機能を常駐させることも考えられる。しかし、タブレット端末は、一般的なパーソナルコンピュータに比べて性能の低いプロセッサが搭載されているので、これらの機能を常駐させると、画面表示等が遅くなる。
【０００７】
一つの側面では、無線回線から切断された端末装置を自動で再接続することができる監視装置、再接続方法および再接続プログラムを提供することを目的とする。
【課題を解決するための手段】
【０００８】
第１の案では、監視装置は、アクセスポイントを介して第１の無線回線に接続される各端末装置の接続状況を、前記アクセスポイントから取得する取得部を有する。監視装置は、前記接続状況を参照して、前記アクセスポイントとの通信が切断された端末装置である切断装置を検出する検出部を有する。監視装置は、第２の無線回線を用いて、前記アクセスポイントと接続して前記第１の無線回線へ再接続する指示を、前記切断装置に通知する通知部を有する。
【発明の効果】
【０００９】
一実施形態によれば、無線回線から切断された端末装置を自動で再接続することができる。
【図面の簡単な説明】
【００１０】
【図１】図１は、実施例１にかかるシステムの全体構成例を示す図である。
【図２】図２は、実施例１にかかる各装置の機能構成を示す機能ブロック図である。
【図３】図３は、ビーコンパターンＤＢに記憶される情報の例を示す図である。
【図４】図４は、接続状況ＤＢに記憶される情報の例を示す図である。
【図５】図５は、実施例１にかかる自動復旧を説明する図である。
【図６】図６は、実施例１にかかる管理コンピュータの処理の流れを示すフローチャートである。
【図７】図７は、実施例１にかかるタブレット端末の処理の流れを示すフローチャートである。
【図８】図８は、実施例２にかかる自動復旧を説明する図である。
【図９】図９は、実施例２にかかる各装置の機能構成を示す機能ブロック図である。
【図１０】図１０は、アドレス情報ＤＢに記憶される情報の例を示す図である。
【図１１】図１１は、実施例２にかかる管理コンピュータの処理の流れを示すフローチャートである。
【図１２】図１２は、実施例２にかかるタブレット端末の処理の流れを示すフローチャートである。
【図１３】図１３は、管理コンピュータのハードウェア構成例を示す図である。
【図１４】図１４は、タブレット端末のハードウェア構成例を示す図である。
【発明を実施するための形態】
【００１１】
以下に、本願の開示する監視装置、再接続方法および再接続プログラムの実施例を図面に基づいて詳細に説明する。なお、この実施例によりこの発明が限定されるものではない。また、各実施例は、矛盾のない範囲内で適宜組み合わせることができる。
【実施例１】
【００１２】
［全体構成例］
図１は、実施例１にかかるシステムの全体構成例を示す図である。実施例１では、一例として、学校の授業などを想定する。例えば、教室内には無線ＬＡＮが構築されており、各生徒および教師にタブレット端末が配布され、無線ＬＡＮを用いてタブレット端末に教科書などの情報を表示して授業が行われる。
【００１３】
図１に示すように、教室１内と教室１外に設置されたサーバ１２０とを有する。教室１内には、Ｗｉ−Ｆｉ（登録商標）（Wireless−Fidelity）などの無線ＬＡＮが構築されており、アクセスポイント２、管理コンピュータ１０、先生用のタブレット端末３０、生徒用のタブレット端末４０、６０、８０、電子黒板プロジェクタ１００、電子ペン１１０を有する。
【００１４】
アクセスポイント２は、教室１内の各タブレット端末を無線ＬＡＮに接続するとともに、外部のサーバ１２０と教室１内の無線ＬＡＮとを接続する装置の一例であり、例えばルータやステーションなどと一般的に呼ばれるコンピュータである。
【００１５】
先生用のタブレット端末３０と生徒用のタブレット端末４０、６０、８０は、持ち運び可能な移動体端末の一例であり、タッチパネルや無線接続機能などを有するコンピュータである。これらのタブレット端末は、薄型軽量化かつバッテリー運用の為に通常のパーソナルコンピュータに比べて性能が低いプロセッサが搭載されている。
【００１６】
また、これらのタブレット端末は、アクセスポイント２を介して無線ＬＡＮに接続され、相互に通信可能に接続される。また、各タブレット端末は、アクセスポイント２を介して、外部のサーバ１２０に接続される。各タブレット端末は、管理コンピュータ１０やサーバ１２０から配信される教科書のデータを表示する。ここでは、通常の教科書の代わりに、教科書のデータを用いて授業が行われる。
【００１７】
管理コンピュータ１０は、監視装置などのコンピュータの一例であり、アクセスポイント２と無線ＬＡＮまたは有線で接続される。この管理コンピュータ１０は、アクセスポイント２を介してサーバ１２０から教科書のデータを取得し、アクセスポイント２を介して無線ＬＡＮに接続される各タブレット端末に配信する。
【００１８】
電子黒板プロジェクタ１００は、例えばＨＤＭＩ（登録商標）（High−Definition  Multimedia  Interface）などの有線で、管理コンピュータ１０と接続される。この電子黒板プロジェクタ１００は、管理コンピュータ１０から入力された各種画像や動画をスクリーンに投影する。また、電子黒板プロジェクタ１００は、電子ペン１１０と赤外線などで接続され、管理コンピュータ１０から入力された各種画像や動画とともに、電子ペン１１０による操作情報をスクリーンに投影する。
【００１９】
サーバ１２０は、アクセスポイント２と接続され、教科書のデータを保持する外部サーバの一例である。サーバ１２０は、アクセスポイント２を介して、各タブレット端末や管理コンピュータ１０からデータの取得要求を受信すると、要求元に教科書のデータを送信する。
【００２０】
このように、先生用のタブレット端末３０、生徒用のタブレット端末４０、６０、８０がアクセスポイント２を介して無線ＬＡＮに接続される状態で、管理コンピュータ１０は、アクセスポイント２を介して無線ＬＡＮに接続される各タブレット端末の接続状況を、アクセスポイント２から取得する。そして、管理コンピュータ１０は、接続状況を参照して、アクセスポイント２との通信が切断されたタブレット端末（以下では切断タブレットと記載する場合がある）を検出する。その後、管理コンピュータ１０は、ＢＬＥ（Bluetooth（登録商標）  Low  Energy）ビーコンを用いて、アクセスポイント２と接続して無線ＬＡＮへ再接続する指示を、無線ＬＡＮと切断された切断タブレットに通知する。
【００２１】
したがって、管理コンピュータ１０は、授業中に教室内の無線ＬＡＮから切断された生徒用のタブレットを検出すると、ＢＬＥビーコンを用いて無線ＬＡＮへの再接続指示を送信する。この結果、無線ＬＡＮから切断されたタブレット端末は、先生や生徒が復旧操作を行うことなく、無線ＬＡＮに自動で再接続することができる。
【００２２】
［機能構成］
次に、図１に示した装置の機能構成について説明する。ここでは、一般的な装置とは異なる機能を有する管理コンピュータ１０と各タブレット端末の機能構成について説明する。なお、各タブレット端末は、同様の構成を有するので、タブレット端末４０を例にして説明する。
【００２３】
（管理コンピュータ１０の機能構成）
図２は、実施例１にかかる各装置の機能構成を示す機能ブロック図である。図２に示すように、管理コンピュータ１０は、通信部１１、記憶部１２、制御部１５を有する。
【００２４】
通信部１１は、無線や有線などの各種通信を制御する処理部である。具体的には、通信部１１は、アクセスポイント２を介して、無線ＬＡＮに接続し、無線ＬＡＮ内の各タブレット端末に情報を送信し、各タブレット端末から各種情報を受信する。例えば、通信部１１は、アクセスポイント２から接続状況を受信し、各タブレット端末に教科書のデータを送信する。また、通信部１１は、ＢＬＥビーコンなどの送信制御を実行する。
【００２５】
記憶部１２は、制御部１５が実行するプログラムや各種データを記憶する記憶装置であり、例えばメモリやハードディスクなどである。この記憶部１２は、ビーコンパターンＤＢ１３や接続状況ＤＢ１４を記憶する。
【００２６】
ビーコンパターンＤＢ１３は、ＢＬＥビーコンの送信周波数のチャネルの組み合わせであるビーコンパターンを記憶するデータベースである。具体的には、ビーコンパターンＤＢ１３は、ＢＬＥビーコンで使用するアドバタイジングチャネルの組み合わせであり、各生徒のタブレット端末の識別に利用される識別情報を記憶する。
【００２７】
図３は、ビーコンパターンＤＢ１３に記憶される情報の例を示す図である。図３に示すように、ビーコンパターンＤＢ１３は、「タブレット端末、ＭＡＣ（Media  Access  Control）アドレス、発信チャネル（１回目、２回目、３回目）」を対応付けて記憶する。「タブレット端末」は、生徒が使用するタブレット端末の名称であり、「ＭＡＣアドレス」は、各生徒のタブレット端末のＭＡＣアドレスである。「発信チャネル」は、アドバタイジングチャネルのチャネル情報であり、「１回目、２回目、３回目」は、ＢＬＥビーコンで使用されるアドバタイジングチャネルである。
【００２８】
図３の例では、ＭＡＣアドレスが「Ａ１：Ｂ２：Ｃ３：Ｆ３：Ｅ２：Ｄ１」である生徒Ａのタブレット端末に指示を送信する場合は、１回目に「３７ｃｈ」、２回目に「３７ｃｈ」、３回目に「３７ｃｈ」を使用することを示す。このように、アドバタイジングチャネル（３７ｃｈ、３８ｃｈ、３９ｃｈ）の組み合わせにより、各タブレット端末を識別する。なお、アドバタイジングチャネルの組み合わせは、授業ごとに変更することもできる。また、図３では、先生のタブレット端末を管理対象外にしているが、生徒のタブレット端末と同様に、先生のタブレット端末も管理対象に含めることもできる。
【００２９】
接続状況ＤＢ１４は、無線ＬＡＮに接続される各タブレット端末の接続状況を記憶するデータベースである。なお、ここで記憶される情報は、アクセスポイント２で収集することができる。
【００３０】
図４は、接続状況ＤＢ１４に記憶される情報の例を示す図である。図４に示すように、接続状況ＤＢ１４は、「タブレット端末、ＭＡＣアドレス、ステータス、切断時刻、切断理由」を対応付けて記憶する。ここで記憶される「タブレット端末」は、生徒が使用するタブレット端末の名称であり、「ＭＡＣアドレス」は、各生徒のタブレット端末のＭＡＣアドレスである。この「タブレット端末」や「ＭＡＣアドレス」は、予め設定しておくことができる。
【００３１】
「ステータス」は、接続状況であり、接続中もしくは未接続が記憶される。「切断時刻」は、切断された時刻である。「切断理由」は、授業中に切断されたか否かを示し、授業中に切断された場合は「予期せぬ切断」が設定される。なお、「切断理由」は、アクセスポイント２で判断することもでき、管理コンピュータ１０が判断することもできる。
【００３２】
図４では、ＭＡＣアドレスが「Ａ１：Ｂ２：Ｃ３：Ｆ３：Ｅ２：Ｄ３」である生徒Ｃのタブレット端末で、「９：４５」に「予期せぬ切断」が発生しており、他の生徒のタブレット端末は正常に接続中であることを示す。
【００３３】
制御部１５は、管理コンピュータ１０全体を司る処理部であり、例えばプロセッサなどである。制御部１５は、パターン生成部１６、配信部１７、監視部１８、指示通知部１９を有する。なお、パターン生成部１６、配信部１７、監視部１８、指示通知部１９は、プロセッサなどが有する電子回路の一例やプロセッサが実行するプロセスの一例である。
【００３４】
パターン生成部１６は、各タブレット端末を識別する、アドバタイジングチャネルの組み合わせを生成する処理部である。具体的には、パターン生成部１６は、授業開始時刻になると、図３に示すビーコンパターンを生成して、ビーコンパターンＤＢ１３に格納する。また、パターン生成部１６は、授業終了時刻なると、ビーコンパターンＤＢ１３に記憶される情報を削除することもできる。なお、授業開始や終了の時刻は、予め設定しておくことができる。また、生成手法は、ＢＬＥのランダムアドレス設定などを採用することができ、タブレット端末の数に応じてチャネルの組み合わせや送信回数を任意に変更することができる。
【００３５】
配信部１７は、パターン生成部１６が生成したビーコンパターンを、無線ＬＡＮを介して、各タブレット端末に配信する処理部である。例えば、配信部１７は、ビーコンパターンがビーコンパターンＤＢ１３に格納されると、ビーコンパターンＤＢ１３からビーコンパターンを読み出し、接続状況ＤＢ１４に予め記憶される「ＭＡＣアドレス」を用いて、各タブレット端末にアクセスポイント２経由で送信する。
【００３６】
監視部１８は、各生徒のタブレット端末の無線ＬＡＮの接続状況を監視する処理部である。具体的には、監視部１８は、アクセスポイント２から接続状況（ステータス、切断時刻など）を取得し、予期せぬ切断が発生していないかを監視する。例えば、監視部１８は、アクセスポイントから接続状況を定期的に取得し、取得した接続状況を接続状況ＤＢ１４に格納する。そして、監視部１８は、授業中にステータス「未接続」を検出した場合、「未接続」に該当するタブレット端末の「切断理由」に「予期せぬ切断」を設定する。
【００３７】
指示通知部１９は、監視部１８によって「予期せぬ切断」が設定されたタブレット端末に、無線ＬＡＮとは異なる通信であるＢＬＥを用いて、アクセスポイント２と接続して無線ＬＡＮへ再接続する指示を通知する処理部である。具体的には、指示通知部１９は、切断中の生徒のタブレット端末に該当する発信チャネルの組み合わせをビーコンパターンＤＢ１３から特定し、特定した組み合わせで再接続の指示をブロードキャストで送信する。
【００３８】
例えば、指示通知部１９は、接続状況ＤＢ１４を参照して、生徒Ｃのタブレット端末に「予期せぬ切断」が設定されていることを検知すると、接続状況ＤＢ１４から切断時刻「９：４５」を取得する。続いて、指示通知部１９は、切断中の生徒Ｃのタブレット端末の発信チャネル（３７ｃｈ、３７ｃｈ、３９ｃｈ）をビーコンパターンＤＢ１３から取得する。そして、指示通知部１９は、切断時刻である時刻情報「９：４５」を含むアドバタイズドパケットを３７ｃｈで、ＢＬＥビーコンとしてブロードキャストで送信する。所定時間（例えば３０秒）経過後、指示通知部１９は、時刻情報「９：４５」を含むアドバタイズドパケットを３７ｃｈで、ＢＬＥビーコンとしてブロードキャストで送信する。さらに所定時間（例えば３０秒）経過後、指示通知部１９は、時刻情報「９：４５」を含むアドバタイズドパケットを３９ｃｈで、ＢＬＥビーコンとしてブロードキャストで送信する。
【００３９】
つまり、１回の切断検出で３回のＢＬＥビーコンを通知することで、切断中の生徒Ｃのタブレット端末に対して、切断時刻を通知することができる。なお、ＢＬＥビーコンに、再接続の指示やコマンド等を含めることもできる。なお、所定時間は任意に変更することができる。
【００４０】
このように、３つの周波数チャネルの組合せでパケットデータをブロードキャストすることで生徒のタブレット端末を識別可能とする。また、第三者が入手すると攻撃標的となるＢＤアドレス（Bluetooth（登録商標）  Device  アドレス）をビーコンに含めないので、セキュリティも高く、第三者の攻撃標的になる危険性も小さくなる。
【００４１】
また、指示通知部１９は、切断されたタブレット端末を検出し、切断理由が「予期せぬ切断」ではなく何も登録されていない場合は、授業が終了したと判定して、ビーコンパターンＤＢ１３に記憶されるビーコンパターンを削除する。
【００４２】
（タブレット端末４０の機能構成）
図２に示すように、タブレット端末４０は、通信部４１、表示部４２、記憶部４３、制御部４６を有する。
【００４３】
通信部４１は、アクセスポイント２を介して、無線ＬＡＮに接続し、他のタブレット端末、管理コンピュータ１０、サーバ１２０などとの通信を制御する処理部である。例えば、通信部４１は、アクセスポイント２を介して、管理コンピュータ１０から教科書のデータを受信する。
【００４４】
また、通信部４１は、管理コンピュータ１０からブロードキャストされるＢＬＥビーコンを受信する。例えば、通信部４１は、アクセスポイント２を介さずに、時刻情報などを含むアドバタイズドパケットを、管理コンピュータ１０から受信する。
【００４５】
表示部４２は、各情報を表示し、生徒などの操作を受け付けるタッチパネルディスプレイなどである。例えば、表示部４２は、教科書のデータを表示し、ページめくり操作や問題への回答操作などを受け付ける。
【００４６】
記憶部４３は、制御部４６が実行するプログラムや各種データを記憶する記憶装置であり、例えばメモリやハードディスクなどである。この記憶部４３は、ビーコンパターンＤＢ４４や切断時刻ＤＢ４５を記憶する。
【００４７】
ビーコンパターンＤＢ４４は、ＢＬＥビーコンの送信周波数のチャネルの組み合わせであるビーコンパターンを記憶するデータベースである。具体的には、ビーコンパターンＤＢ４４は、管理コンピュータ１０から配信されたビーコンパターンを記憶する。なお、記憶される情報は、図３と同様なので、詳細な説明は省略する。
【００４８】
切断時刻ＤＢ４５は、タブレット端末４０が無線ＬＡＮから切断された時刻を記憶するデータベースである。例えば、切断時刻ＤＢ４５は、切断時刻「９：４５」などを記憶する。なお、ここで記憶される切断時刻は、最新の切断時刻であり、制御部４６によって更新される。
【００４９】
制御部４６は、タブレット端末４０全体を司る処理部であり、例えばプロセッサなどである。制御部４６は、表示制御部４７、受信部４８、再接続部４９を有する。なお、表示制御部４７、受信部４８、再接続部４９は、プロセッサなどが有する電子回路の一例やプロセッサが実行するプロセスの一例である。
【００５０】
この制御部４６は、無線ＬＡＮとの切断を検出すると、切断された時刻が授業終了などの予め指定された時間帯か否かを判定する。そして、制御部４６は、切断された時刻が予め指定された時間帯ではない場合、予期せぬ切断と判定して、切断時刻を切断時刻ＤＢ４５に格納する。一方、制御部４６は、切断された時刻が予め指定された時間帯である場合、授業終了と判定して、ビーコンパターンＤＢ４４に記憶される情報を削除する。
【００５１】
表示制御部４７は、情報の表示やタッチパネル操作を実行する処理部である。例えば、表示制御部４７は、管理コンピュータ１０から受信した教科書のデータを表示部４２に表示する。また、表示制御部４７は、表示部４２を介してタッチパネル操作を受け付けて、受け付けられたタッチパネル操作に対応する処理を実行する。例えば、表示制御部４７は、スワイプ操作を受け付けた場合にページめくりを実行し、ダブルクリック操作を受け付けた場合に拡大表示を実行する。
【００５２】
受信部４８は、管理コンピュータ１０から配信されたビーコンパターンを受信する処理部である。例えば、受信部４８は、アクセスポイント２経由でビーコンパターンを管理コンピュータ１０から受信し、ビーコンパターンＤＢ４４に格納する。
【００５３】
再接続部４９は、管理コンピュータ１０からの再接続指示にしたがって、無線ＬＡＮへの再接続を実行する処理部である。具体的には、再接続部４９は、タブレット端末４０に割当てられたビーコンパターンでＢＬＥビーコンを受信するとともに、受信されたＢＬＥビーコンで通知された切断時刻と切断時刻ＤＢ４５に記憶される切断時刻とが一致する場合に、再接続を実行する。
【００５４】
例えば、タブレット端末４０が生徒Ｃのタブレット端末である場合で説明する。再接続部４９は、ビーコンパターンＤＢ４４を参照して、自身に割当てられたビーコンパターンが３７ｃｈ、３７ｃｈ、３９ｃｈであることを特定する。その後、再接続部４９は、管理コンピュータ１０から３７ｃｈでブロードキャストされたＢＬＥビーコンのアドバタイズドパケットを受信し、続いて、３７ｃｈでブロードキャストされたＢＬＥビーコンのアドバタイズドパケットを受信し、最後に、３９ｃｈでブロードキャストされたＢＬＥビーコンのアドバタイズドパケットを受信する。
【００５５】
すると、再接続部４９は、管理コンピュータ１０が使用したチャネルが自装置のビーコンパターン（３７ｃｈ、３７ｃｈ、３９ｃｈ）と一致することから、自装置宛のアドバタイズドパケットと判定する。そして、再接続部４９は、受信した３つのアドバタイズドパケットそれぞれから時刻情報を抽出し、各時刻情報が切断時刻ＤＢ４５に記憶される切断時刻（９：４５）と一致する場合に、タブレット端末４０の再起動を実行して、無線ＬＡＮへの再接続を実行する。なお、再接続の処理は、再起動に限らず、予め指定されたコマンドなどを実行することもできる。
【００５６】
［具体例］
次に、実施例１で説明した無線ＬＡＮの再接続の具体例を説明する。図５は、実施例１にかかる自動復旧を説明する図である。図５に示すように、教室１内では、教師のタブレット端末３０、生徒のタブレット端末４０、６０、８０、管理コンピュータ１０がアクセスポイント２を介した無線ＬＡＮで相互に接続されて、授業が行われている。この状態で、アクセスポイント２とタブレット端末４０との接続が切断されたとする。
【００５７】
管理コンピュータ１０は、アクセスポイント２から接続状況を取得し、タブレット端末４０の予期せぬ切断を検出する（Ｓ１）。このとき、管理コンピュータ１０は、接続状況から切断時刻を取得する。
【００５８】
続いて、管理コンピュータ１０は、タブレット端末４０に割当てられたビーコンパターンをビーコンパターンＤＢ１３から特定し、特定したビーコンパターンを用いて、切断時刻を含むアドバタイズドパケットをブロードキャストで送信する（Ｓ２）。
【００５９】
その後、タブレット端末４０、６０、８０それぞれが、アドバタイズドパケットを受信するが、このうちのタブレット端末４０が、自装置に割当てられたビーコンパターンでアドバタイズドパケットを受信したと判定し、自装置宛と判定する。そして、タブレット端末４０は、各アドバタイズドパケットに含まれる切断時刻が自装置の切断時刻ＤＢ４５に記憶される切断時刻と一致することから、再起動を実行する（Ｓ３）。
【００６０】
このようにして、管理コンピュータ１０は、無線ＬＡＮとは異なる無線回線で、無線ＬＡＮから切断されたタブレット端末の自動接続を実行する。
【００６１】
［処理の流れ］
次に、各装置の処理について説明する。ここでは、管理コンピュータ１０の処理と切断されたタブレット端末の処理について説明する。なお、一例として、切断されたタブレット端末をタブレット端末４０とする。
【００６２】
（管理コンピュータ１０の処理）
図６は、実施例１にかかる管理コンピュータ１０の処理の流れを示すフローチャートである。図６に示すように、管理コンピュータ１０のパターン生成部１６は、全タブレット端末の接続が完了すると（Ｓ１０１：Ｙｅｓ）、ビーコンパターンを生成する（Ｓ１０２）。その後、配信部１７は、アクセスポイント２経由で各タブレット端末にビーコンパターンを配信する（Ｓ１０３）。なお、パターン生成部１６は、アクセスポイント２から接続完了の通知を受信してもよく、アクセスポイント２から取得した接続状況から判定することもできる。
【００６３】
続いて、監視部１８は、アクセスポイント２から接続状況を取得すると（Ｓ１０４）、未接続のタブレット端末が存在するか否かを判定する（Ｓ１０５）。ここで、監視部１８は、切断理由などを接続状況ＤＢ１４に格納する。なお、ここで、監視部１８は、未接続のタブレット端末が存在しない場合（Ｓ１０５：Ｎｏ）、Ｓ１０４以降を繰り返す。
【００６４】
そして、指示通知部１９は、監視部１８によって未接続のタブレット端末が存在すると判定された場合（Ｓ１０５：Ｙｅｓ）、切断理由と切断時刻を取得する（Ｓ１０６）。なお、切断理由は、同様の手法を用いることで、管理コンピュータ１０でもアクセスポイント２でも判定することができる。
【００６５】
その後、指示通知部１９は、切断理由が「予期せぬ切断」である場合（Ｓ１０７：Ｙｅｓ）、「予期せぬ切断」のタブレット端末に該当するビーコンパターンを、ビーコンパターンＤＢ１３から特定する（Ｓ１０８）。続いて、指示通知部１９は、該当のビーコンパターンで、切断時刻を含むアドバタイズドパケットをＢＬＥビーコンとして発信する（Ｓ１０９）。その後、Ｓ１０４以降が繰り返される。
【００６６】
一方、切断理由が「予期せぬ切断」ではない場合（Ｓ１０７：Ｎｏ）、指示通知部１９は、授業が終了したと判定して、ビーコンパターンＤＢ１３に記憶されるビーコンパターンを削除する（Ｓ１１０）。
【００６７】
（タブレット端末４０の処理）
図７は、実施例１にかかるタブレット端末４０の処理の流れを示すフローチャートである。図７に示すように、タブレット端末４０の受信部４８は、無線ＬＡＮへの接続が完了した後（Ｓ２０１：Ｙｅｓ）、アクセスポイント２を介した無線ＬＡＮでビーコンパターンを受信して、ビーコンパターンＤＢ４４に格納する（Ｓ２０２）。
【００６８】
その後、制御部４６は、無線ＬＡＮの切断を検出すると（Ｓ２０３：Ｙｅｓ）、予期せぬ切断か否かを判定する（Ｓ２０４）。ここで、制御部４６は、予期せぬ切断と判定した場合（Ｓ２０４：Ｙｅｓ）、切断時刻を切断時刻ＤＢ４５に保存する（Ｓ２０５）。
【００６９】
その後、再接続部４９は、ＢＬＥビーコンを受信し（Ｓ２０６：Ｙｅｓ）、ビーコンパターンに基づいて自機宛てと判定した場合（Ｓ２０７：Ｙｅｓ）、ＢＬＥビーコンとして送信された各アドバタイズドパケットから切断時刻を抽出する（Ｓ２０８）。
【００７０】
そして、再接続部４９は、抽出された切断時刻と切断時刻ＤＢ４５に記憶される切断時刻とが一致する場合（Ｓ２０９：Ｙｅｓ）、再接続処理を実行し（Ｓ２１０）、無線ＬＡＮに再接続を行う（Ｓ２１１）。その後、Ｓ２０３以降が繰り返される。
【００７１】
一方、再接続部４９は、抽出された切断時刻と切断時刻ＤＢ４５に記憶される切断時刻とが一致しない場合（Ｓ２０９：Ｎｏ）、Ｓ２０６に戻って、ＢＬＥビーコンの受信待ちとなる。なお、Ｓ２０４において、制御部４６は、予期せぬ切断ではないと判定した場合（Ｓ２０４：Ｎｏ）、ビーコンパターンＤＢ４４からビーコンパターンを削除する（Ｓ２１２）。
【００７２】
［効果］
上述したように、管理コンピュータ１０は、低性能のタブレット端末を用いた場合でも、人の手を介さず自動で無線ＬＡＮ接続のトラブルを復旧させることができる。この結果、授業停止時間を最小限に抑える環境を提供できる。
【００７３】
また、無線ＬＡＮ切断が発生している生徒のタブレット端末は、ＢＬＥビーコンを受信し自分宛ての場合、切断時刻情報を比較し、合致したら無線ＬＡＮ復旧操作を行う。したがって、生徒タブレット端末は、無線ＬＡＮが切断状態時のみＢＬＥビーコンを受信し、切断時刻情報が合致した場合のみ、無線ＬＡＮ復旧操作を行うので、よりセキュアなリモート復旧を実現することができる。また、管理コンピュータ１０は、切断時刻しか送信しないので、万が一外部に漏れたとしても、タブレット端末のアドレス情報が漏洩することを抑制できるので、悪意のある第三者による被害を最小限に抑えることができる。
【実施例２】
【００７４】
ところで、実施例１では、ビーコンパターンおよびブロードキャストを用いて、再接続指示を切断中のタブレット端末に通知する例を説明したが、これに限定されるものではない。例えば、Ｂｌｕｅｔｏｏｔｈ（登録商標）（以下、ＢＴと記載する場合がある）を用いて、切断中のタブレット端末に直接接続して再接続処理を実行させることもできる。そこで、実施例２では、管理コンピュータ１０が、切断中のタブレット端末に直接接続して再接続処理を実行させて、無線ＬＡＮへ自動復旧させる例を説明する。
【００７５】
［実施例２の自動復旧の説明］
図８は、実施例２にかかる自動復旧を説明する図である。図８に示すシステムの全体構成は、実施例１と同様である。
【００７６】
図８に示すように、教室１内で無線ＬＡＮを用いて授業が行われている状態で、管理コンピュータ１０は、アクセスポイント２から接続状況を取得し、タブレット端末４０の予期せぬ切断を検出する（Ｓ１１）。このとき、管理コンピュータ１０は、接続状況から切断時刻を取得する。
【００７７】
続いて、管理コンピュータ１０は、無線ＬＡＮが切断中のタブレット端末４０に、ＢＴを用いて直接接続して、再起動コマンドをタブレット端末４０に発行する（Ｓ１２）。この結果、タブレット端末４０は、自動で無線ＬＡＮに再接続することができる（Ｓ１３）。
【００７８】
［機能構成］
次に、図８に示した装置の機能構成について説明する。ここでは、管理コンピュータ１０とタブレット端末４０の機能構成のうち、実施例１とは異なる機能について説明する。なお、同じ機能については同じ符号を付すものとするが、同じ符号が付されていても、異なる処理については別途説明する。
【００７９】
（管理コンピュータ１０の機能構成）
図９は、実施例２にかかる各装置の機能構成を示す機能ブロック図である。図９に示すように、管理コンピュータ１０は、通信部１１、記憶部１２、制御部１５を有する。
【００８０】
記憶部１２は、制御部１５が実行するプログラムや各種データを記憶する記憶装置であり、例えばメモリやハードディスクなどである。この記憶部１２は、接続状況ＤＢ１４とアドレス情報ＤＢ２０を記憶する。
【００８１】
アドレス情報ＤＢ２０は、ＢＴ接続に使用されるアドレス情報であり、各タブレット端末のＢＤアドレス（Bluetooth（登録商標）  Device  アドレス）を記憶する。ここで記憶される情報は、管理者等によって設定変更される。
【００８２】
図１０は、アドレス情報ＤＢ２０に記憶される情報の例を示す図である。図１０に示すように、アドレス情報ＤＢ２０は、「タブレット端末、ＭＡＣアドレス、ＢＤアドレス」を対応付けて記憶する。「タブレット端末」は、生徒が使用するタブレット端末の名称であり、「ＭＡＣアドレス」は、各生徒のタブレット端末のＭＡＣアドレスである。「ＢＤアドレス」は、ＢＴ接続で使用されるアドレス情報である。
【００８３】
図１０の例では、生徒Ｃのタブレット端末のＭＡＣアドレスが「Ａ１：Ｂ２：Ｃ３：Ｆ３：Ｅ２：Ｄ３」であり、ＢＤアドレスが「Ｂ１：Ｃ２：Ｄ３：Ｇ３：Ｆ２：Ｅ３」であることを示す。
【００８４】
制御部１５は、管理コンピュータ１０全体を司る処理部であり、例えばプロセッサなどである。制御部１５は、監視部２１、確立部２２、再接続部２３を有する。なお、監視部２１、確立部２２、再接続部２３は、プロセッサなどが有する電子回路の一例やプロセッサが実行するプロセスの一例である。
【００８５】
監視部２１は、実施例１で説明した監視部１８と同様の処理を実行する。具体的には、監視部２１は、アクセスポイント２から接続状況（ステータス、切断時刻）を取得し、予期せぬ切断が発生していないかを監視する。例えば、監視部２１は、アクセスポイント２から接続状況を定期的に取得し、取得した接続状況を接続状況ＤＢ１４に格納する。そして、監視部２１は、授業中にステータス「未接続」を検出した場合、「未接続」に該当するタブレット端末の「切断理由」に「予期せぬ切断」を設定する。
【００８６】
確立部２２は、無線ＬＡＮが切断中のタブレット端末とＢＴ接続を確立する処理部である。具体的には、確立部２２は、接続状況ＤＢ１４を参照して「予期せぬ切断」が登録されているタブレット端末を検出すると、当該タブレット端末のＢＤアドレスをアドレス情報ＤＢ２０から特定する。そして、確立部２２は、特定したＢＤアドレスを指定してＢＴ接続を実行し、無線ＬＡＮから切断中のタブレット端末との間でＢＴ接続を確立させる。
【００８７】
例えば、確立部２２は、接続状況ＤＢ１４を参照して、生徒Ｃのタブレット端末の「予期せぬ切断」を検出すると、生徒Ｃのタブレット端末のＢＤアドレス「Ｂ１：Ｃ２：Ｄ３：Ｇ３：Ｆ２：Ｅ３」をアドレス情報ＤＢ２０から取得する。そして、確立部２２は、ＢＤアドレス「Ｂ１：Ｃ２：Ｄ３：Ｇ３：Ｆ２：Ｅ３」を指定して、ＢＴ接続要求を送信する。その後、確立部２２は、接続応答を受信すると、ＢＤアドレス「Ｂ１：Ｃ２：Ｄ３：Ｇ３：Ｆ２：Ｅ３」が設定される生徒Ｃのタブレット端末とＢＴ接続を確立する。
【００８８】
再接続部２３は、無線ＬＡＮから切断されたタブレット端末に対して、再接続処理を実行させる処理部である。具体的には、再接続部２３は、確立部２２によってＢＴ接続が確立されたタブレット端末に対して、ＢＴ通信で、再接続処理の開始操作やコマンドを発行する。上記例で説明すると、再接続部２３は、ＢＴ接続が確立された生徒Ｃのタブレット端末に、ＢＴ通信で再起動のコマンドなどを発行する。
【００８９】
そして、再接続部２３は、生徒Ｃのタブレット端末が再起動されると、生徒Ｃのタブレット端末との間で自動的にＢＴ接続が確立するが、無線ＬＡＮへの再接続が完了したと判定して、自動的に接続されたＢＴ接続を切断する。
【００９０】
（タブレット端末４０の機能構成）
図９に示すように、タブレット端末４０は、通信部４１、表示部４２、記憶部４３、制御部４６を有する。
【００９１】
実施例１で説明した図２と異なる点は、記憶部４３がビーコンパターンＤＢ４４を記憶していない点である。また、制御部４６の再接続部４９についても、実施例１と異なる処理があるので、その処理について説明する。
【００９２】
再接続部４９は、実施例１とは異なり、管理コンピュータ１０とＢＴ接続を確立し、ＢＴ接続を介して再接続処理の指示を受信する処理部である。例えば、再接続部４９は、制御部４６によって「予期せぬ切断」が検出された場合、ＢＴの接続待ち状態に移行する。その後、再接続部４９は、管理コンピュータ１０からＢＴによる接続要求を受信すると、管理コンピュータ１０に接続応答を、ＢＴを用いて送信する。
【００９３】
このように、再接続部４９は、無線ＬＡＮに接続できない状況で、管理コンピュータ１０とはＢＴによる接続を確立する。その後、再接続部４９は、ＢＴ接続を介して、管理コンピュータ１０から再起動コマンドなどを受信する。タブレット端末４０は、管理コンピュータ１０による再起動処理を受け付けて、再起動を実行する。なお、再起動は、管理コンピュータ１０が遠隔により実行することもでき、管理コンピュータ１０がローカルで実行することもできる。
【００９４】
その後、再接続部４９は、タブレット端末４０が再起動すると、管理コンピュータ１０との間で自動的にＢＴ接続を確立するが、無線ＬＡＮへの再接続が完了したと判定して、自動的に接続されたＢＴ接続を切断する。
【００９５】
［処理の流れ］
次に、実施例２にかかる各装置の処理について説明する。ここでは、管理コンピュータ１０の処理と切断されたタブレット端末の処理について説明する。なお、一例として、切断されたタブレット端末をタブレット端末４０とする。
【００９６】
（管理コンピュータ１０の処理）
図１１は、実施例２にかかる管理コンピュータ１０の処理の流れを示すフローチャートである。図１１に示すように、管理コンピュータ１０の監視部２１は、全タブレット端末の接続が完了すると（Ｓ３０１：Ｙｅｓ）、アクセスポイント２から接続状況を取得すると（Ｓ３０２）、未接続のタブレット端末が存在するか否かを判定する（Ｓ３０３）。ここで、監視部２１は、未接続のタブレット端末が存在しない場合（Ｓ３０３：Ｎｏ）、Ｓ３０２以降を繰り返す。
【００９７】
そして、確立部２２は、監視部２１によって未接続のタブレット端末が存在すると判定された場合（Ｓ３０３：Ｙｅｓ）、切断理由と切断時刻を取得する（Ｓ３０４）。
【００９８】
その後、確立部２２は、切断理由が「予期せぬ切断」である場合（Ｓ３０５：Ｙｅｓ）、「予期せぬ切断」に該当する切断中のタブレット端末にアドレス情報（ＢＤアドレス）をアドレス情報ＤＢ２０から特定する（Ｓ３０６）。
【００９９】
続いて、確立部２２は、特定したアドレス情報を指定して、ＢＴの接続要求を送信し（Ｓ３０７）、接続応答を受信すると（Ｓ３０８：Ｙｅｓ）、切断中のタブレット端末との間でＢＴ接続を完了する（Ｓ３０９）。
【０１００】
そして、再接続部２３は、ＢＴを用いて、切断中のタブレット端末に再接続処理を実行する（Ｓ３１０）。そして、再接続部２３は、監視部２１によってその後に取得された接続状況にしたがって、未接続のタブレットの接続完了が確認できた場合（Ｓ３１２：Ｙｅｓ）、ＢＴを切断する（Ｓ３１３）。その後、Ｓ３０２以降が繰り返される。
【０１０１】
一方、再接続部２３は、監視部２１によってその後に取得された接続状況に未接続のタブレット端末が存在し、接続完了が確認できない場合（Ｓ３１２：Ｎｏ）、Ｓ３１０に戻って、切断中のタブレット端末に再接続処理を再度実行する。なお、再接続部２３は、Ｓ３１１およびＳ３１２を実行することなく、無線ＬＡＮへの再接続が完了したと仮定して、Ｓ３１３を実行することもできる。この場合であっても、次の接続状況の取得契機で、未接続が検出されるので、再接続処理を繰り返して実行できる。
【０１０２】
一方、切断理由が「予期せぬ切断」ではないと判定された場合（Ｓ３０５：Ｎｏ）、処理が終了する。
【０１０３】
（タブレット端末４０の処理）
図１２は、実施例２にかかるタブレット端末４０の処理の流れを示すフローチャートである。図１２に示すように、タブレット端末４０の制御部４６は、無線ＬＡＮへの接続が完了した後（Ｓ４０１：Ｙｅｓ）、無線ＬＡＮの切断を検出すると（Ｓ４０２：Ｙｅｓ）、予期せぬ切断か否かを判定する（Ｓ４０３）。ここで、制御部４６は、予期せぬ切断ではないと判定した場合（Ｓ４０３：Ｎｏ）、処理を終了する。
【０１０４】
一方、再接続部４９は、制御部４６によって予期せぬ切断と判定された場合（Ｓ４０３：Ｙｅｓ）、ＢＴの接続待ちに移行する（Ｓ４０４）。そして、再接続部４９は、管理コンピュータ１０からＢＴの接続要求を受信すると（Ｓ４０５：Ｙｅｓ）、管理コンピュータ１０にＢＴの接続応答を送信する（Ｓ４０６）。そして、再接続部４９は、ＢＴの接続を完了する（Ｓ４０７）。
【０１０５】
その後、再接続部４９は、ＢＴを介して、再接続処理の実行を受信すると（Ｓ４０８：Ｙｅｓ）、再接続処理を実行して（Ｓ４０９）、無線ＬＡＮに再接続し（Ｓ４１０）、ＢＴを切断する（Ｓ４１１）。なお、再接続部４９は、無線ＬＡＮの再接続が成功した後に、ＢＴを切断するように制御することもでき、再起動が終了した後に再接続の成否に関わらず、ＢＴを切断するように制御することもできる。
【０１０６】
［効果］
このように、管理コンピュータ１０が、生徒のタブレット端末に再接続操作指示を送信し、生徒のタブレット端末が、再接続操作を実施する。そして、生徒のタブレット端末は、無線ＬＡＮが再接続されたらＢＴ接続を切断する。したがって、生徒のタブレット端末は、無線ＬＡＮの再接続作業中のみＢＴ接続を確立するので、消費電力を最小限に抑えることができる。また、管理コンピュータ１０が切断中のタブレット端末に直接接続して再接続を実行するので、再接続の確率性を向上させることができる。
【実施例３】
【０１０７】
さて、これまで本発明の実施例について説明したが、本発明は上述した実施例以外にも、種々の異なる形態にて実施されてよいものである。そこで、以下に異なる実施例を説明する。
【０１０８】
［無線回線］
上記実施例では、無線ＬＡＮやＢＬＥ、無線ＬＡＮとＢＴなどを例にして説明したが、これに限定されるものではない。例えば、ＢＴやＢＬＥの代わりに、他の非接触型通信などを採用することもできる。
【０１０９】
また、上記ＢＬＥビーコンで使用するアドバタイジングチャネル（３７ｃｈ、３８ｃｈ、３９ｃｈ）は通常の無線ＬＡＮで使用されるチャネル（１ｃｈ、６ｃｈ、１１ｃｈ）と重ならない周波数を使用しているので電波干渉による障害を低減できる。また、ビーコンもＢＬＥに限らず、他のビーコンを採用することもでき、チャネルも無線ＬＡＮなどで使用されていない他のチャネルを採用することもできる。
【０１１０】
［タブレット端末］
上記実施例では、生徒のタブレット端末を自動復旧の対象として説明したが、これに限定されるものではなく、先生のタブレット端末も自動復旧の対象とすることもできる。また、タブレット端末に限らず、スマートフォン、サーバなどの他のコンピュータも自動復旧の対象とすることができる。
【０１１１】
［送信情報］
実施例１では、ＢＬＥビーコンで切断時刻を送信する例を説明したが、切断時刻を送信せず、ビーコンパターンを用いた通知だけでも実行することができる。なお、切断時刻を送信することで、ビーコンパターンを用いた通知と切断時刻の一致との２段階の判定を実行できるので、セキュリティレベルが向上する。
【０１１２】
［環境］
上記実施例では、教室内の無線ＬＡＮを例にして説明したが、これに限定されるものではなく、例えば病院内、倉庫内、車両内などでも同様に適用することができる。
【０１１３】
［管理コンピュータ１０のハードウェア構成］
図１３は、管理コンピュータ１０のハードウェア構成例を示す図である。図１３に示すように、管理コンピュータ１０は、電源部１０ａ、ＢＬＥ部１０ｂ、無線ＬＡＮ部１０ｃ、ＨＤＤ（Hard  Disk  Drive）１０ｄ、メモリ１０ｅ、プロセッサ１０ｆを有する。
【０１１４】
電源部１０ａは、管理コンピュータ１０の電源を制御する。ＢＬＥ部１０ｂは、ＢＬＥビーコンの送信制御を実行する。無線ＬＡＮ部１０ｃは、アクセスポイント２を介して無線ＬＡＮに接続してデータの送受信を実行する。ＨＤＤ１０ｄは、プログラムやデータなどを記憶する記憶装置の一例である。
【０１１５】
メモリ１０ｅの一例としては、ＳＤＲＡＭ（Synchronous  Dynamic  Random  Access  Memory）等のＲＡＭ（Random  Access  Memory）、ＲＯＭ（Read  Only  Memory）、フラッシュメモリ等が挙げられる。プロセッサ１０ｆの一例としては、ＣＰＵ（Central  Processing  Unit）、ＤＳＰ（Digital  Signal  Processor）、ＦＰＧＡ（Field  Programmable  Gate  Array）、ＰＬＤ（Programmable  Logic  Device）等が挙げられる。
【０１１６】
また、管理コンピュータ１０は、プログラムを読み出して実行することで再接続方法を実行する情報処理装置として動作する。つまり、管理コンピュータ１０は、パターン生成部１６、配信部１７、監視部１８、指示通知部１９と同様の機能を実行するプログラムを実行する。この結果、管理コンピュータ１０は、パターン生成部１６、配信部１７、監視部１８、指示通知部１９と同様の機能を実行するプロセスを実行することができる。なお、この他の実施例でいうプログラムは、管理コンピュータ１０によって実行されることに限定されるものではない。例えば、他のコンピュータまたはサーバがプログラムを実行する場合や、これらが協働してプログラムを実行するような場合にも、本発明を同様に適用することができる。なお、実施例２で説明した各機能部と同様の機能を実行するプログラムについても同様である。
【０１１７】
このプログラムは、インターネットなどのネットワークを介して配布することができる。また、このプログラムは、ハードディスク、フレキシブルディスク（ＦＤ）、ＣＤ−ＲＯＭ、ＭＯ（Magneto−Optical  disk）、ＤＶＤ（Digital  Versatile  Disc）などのコンピュータで読み取り可能な記録媒体に記録され、コンピュータによって記録媒体から読み出されることによって実行することができる。
【０１１８】
［タブレット端末４０のハードウェア構成］
図１４は、タブレット端末４０のハードウェア構成例を示す図である。図１４に示すように、タブレット端末４０は、電源部４０ａ、ＢＬＥ部４０ｂ、無線ＬＡＮ部４０ｃ、タッチパネル４０ｄ、表示部４０ｅ、ＨＤＤ４０ｆ、メモリ４０ｇ、プロセッサ４０ｈを有する。
【０１１９】
電源部４０ａは、タブレット端末４０の電源を制御する。ＢＬＥ部４０ｂは、ＢＬＥビーコンの受信制御を実行する。無線ＬＡＮ部４０ｃは、アクセスポイント２を介して無線ＬＡＮに接続してデータの送受信を実行する。
【０１２０】
タッチパネル４０ｄは、表示部４０ｅに重畳される、ユーザ操作を受け付ける入力部であり、操作された位置（座標）をプロセッサ４０ｈに出力する。なお、タッチパネル４０ｄは、静電容量方式や電磁誘導方式など様々な方式を採用することができる。表示部４０ｅは、各種情報を表示する表示部の一例である。
【０１２１】
ＨＤＤ４０ｆは、プログラムやデータなどを記憶する記憶装置の一例である。メモリ４０ｇの一例としては、ＳＤＲＡＭ等のＲＡＭ、ＲＯＭ、フラッシュメモリ等が挙げられる。プロセッサ４０ｈの一例としては、ＣＰＵ、ＤＳＰ、ＦＰＧＡ、ＰＬＤ等が挙げられる。
【０１２２】
また、タブレット端末４０は、プログラムを読み出して実行することで再接続方法を実行する情報処理装置として動作する。つまり、タブレット端末４０は、表示制御部４７、受信部４８、再接続部４９と同様の機能を実行するプログラムを実行する。この結果、タブレット端末４０は、表示制御部４７、受信部４８、再接続部４９と同様の機能を実行するプロセスを実行することができる。なお、この他の実施例でいうプログラムは、タブレット端末４０によって実行されることに限定されるものではない。例えば、他のコンピュータまたはサーバがプログラムを実行する場合や、これらが協働してプログラムを実行するような場合にも、本発明を同様に適用することができる。
【０１２３】
このプログラムは、インターネットなどのネットワークを介して配布することができる。また、このプログラムは、ハードディスク、フレキシブルディスク（ＦＤ）、ＣＤ−ＲＯＭ、ＭＯ、ＤＶＤなどのコンピュータで読み取り可能な記録媒体に記録され、コンピュータによって記録媒体から読み出されることによって実行することができる。
【０１２４】
［システム］
また、本実施例において説明した各処理のうち、自動的におこなわれるものとして説明した処理の全部または一部を手動的におこなうこともできる。あるいは、手動的におこなわれるものとして説明した処理の全部または一部を公知の方法で自動的におこなうこともできる。この他、上記文書中や図面中で示した処理手順、制御手順、具体的名称、各種のデータやパラメータを含む情報については、特記する場合を除いて任意に変更することができる。
【０１２５】
また、図示した各装置の各構成要素は機能概念的なものであり、必ずしも物理的に図示の如く構成されていることを要しない。すなわち、各装置の分散・統合の具体的形態は図示のものに限られない。つまり、その全部または一部を、各種の負荷や使用状況などに応じて、任意の単位で機能的または物理的に分散・統合して構成することができる。さらに、各装置にて行なわれる各処理機能は、その全部または任意の一部が、ＣＰＵおよび当該ＣＰＵにて解析実行されるプログラムにて実現され、あるいは、ワイヤードロジックによるハードウェアとして実現され得る。
【符号の説明】
【０１２６】
１  教室
２  アクセスポイント
１０  管理コンピュータ
１１  通信部
１２  記憶部
１３  ビーコンパターンＤＢ
１４  接続状況ＤＢ
１５  制御部
１６  パターン生成部
１７  配信部
１８、２１  監視部
１９  指示通知部
２０  アドレス情報ＤＢ
２２  確立部
２３  再接続部
３０、４０  タブレット端末
４１  通信部
４２  表示部
４３  記憶部
４４  ビーコンパターンＤＢ
４５  切断時刻ＤＢ
４６  制御部
４７  表示制御部
４８  受信部
４９  再接続部
１００  電子黒板プロジェクタ
１１０  電子ペン
【図１】
2018056964.tif 000003
【図２】
2018056964.tif 000004
【図３】
2018056964.tif 000005
【図４】
2018056964.tif 000006
【図５】
2018056964.tif 000007
【図６】
2018056964.tif 000008
【図７】
2018056964.tif 000009
【図８】
2018056964.tif 000010
【図９】
2018056964.tif 000011
【図１０】
2018056964.tif 000012
【図１１】
2018056964.tif 000013
【図１２】
2018056964.tif 000014
【図１３】
2018056964.tif 000015
【図１４】
2018056964.tif 000016